(57)【特許請求の範囲】
【請求項１】
販売機本体の底面の角部から下方に突出する複数の支持脚を有する上側の自動販売機を下側の自動販売機に段積みするための自動販売機の梱包装置であって、
前記上側の自動販売機の前記販売機本体の底面の前記複数の支持脚の付近にそれぞれ設けられ、下方に所定の長さで突出する複数の底面支持具と、
前記下側の自動販売機の販売機本体の天面の前記複数の支持脚に対応する位置にそれぞれ設けられ、上方に所定の長さで突出し、段積みの際に、前記複数の支持脚を係合させることにより前記上側の自動販売機を位置決めする位置決め孔が形成されるとともに、前記複数の底面支持具が当接し、当該当接した底面支持具と協働して、前記上側の自動販売機の底面と前記下側の自動販売機の天面との間に所定寸法以上の隙間を形成する複数の天面支持具と、
を備えていることを特徴とする自動販売機の梱包装置。
【請求項２】
前記複数の天面支持具が、前記販売機本体から水平方向外方に突出する突出位置と、前記販売機本体の内側に退避する退避位置との間で、移動設置可能に取り付けられていることを特徴とする、請求項１に記載の自動販売機の梱包装置。
【請求項３】
販売機本体の底面の角部から下方に突出し、支持面に当接した状態で自動販売機を水平調整するとともに固定するための複数の支持脚を有する自動販売機の梱包装置であって、
前記販売機本体の底部に設けられた複数の支持具を備え、
これら複数の支持具は、前記支持脚の下端よりも下方に突出し、当該自動販売機を支持するとともに、当該自動販売機の支持面と前記底部との間に所定寸法以上の隙間を形成する支持位置と、前記支持脚の下端よりも上方に退避し、前記底部の下側に収納される収納位置との間で、折りたたみ自在に取り付けられていることを特徴とする自動販売機の梱包装置。
【請求項４】
前記複数の支持具は、前記販売機本体の底部の左右方向の側端部に配置され、前記突出位置にあるときに、前記販売機本体から外側方に突出するように構成されていることを特徴とする、請求項３に記載の自動販売機の梱包装置。
【発明の詳細な説明】
【０００１】
【発明の属する技術分野】
本発明は、自動販売機を、その製造終了後から設置までの間に保管、移動や輸送に適した状態で梱包する自動販売機の梱包装置に関する。
【０００２】
【従来の技術】
図１９は、従来一般に用いられている自動販売機の梱包装置を示している。同図に示すように、この梱包装置５１は、自動販売機２を立てた状態で載せるパレット５３と、自動販売機２に上方からかぶせられ、その四方の外面および上面を覆うビニールなどから成るカバー袋５４と、その状態で自動販売機２の頭部にはめられた段ボールなどから成るキャップ５５と、カバー袋５４およびキャップ５５を固定するために、それらの上から縛り付けられたＰＰバンド（図示せず）などで構成されている。自動販売機２は、このように梱包された状態で、保管、輸送、およびフォークリフト（図示せず）による移動などが行われ、保管については、２段に積み上げた状態（以下「段積み」という）で行われる場合もある。
【０００３】
パレット５３は、組み立てた複数の木製の板材で構成され、フォークリフトによる移動・運搬に用いられるものであり、概ね次のような機能を有している。すなわち、▲１▼フォークリフトのフォークを挿入可能なスペースＣ（例えば高さ６０ｍｍ以上）を確保する、▲２▼自動販売機２の重量およびフォークからの荷重を支持する、▲３▼自動販売機２の平面的な外形寸法よりも若干大とすることで、これらを並べたときに自動販売機２、２間に隙間を確保し、それらの相互の接触による損傷などを防止する、などの機能である。
【０００４】
また、カバー袋５４は、自動販売機２をほこりや湿気などから保護するとともに、ＰＰバンドの締め付けによる損傷などを防止する役割を果たす。さらに、キャップ５５は、自動販売機２、２を段積みした際に、それらが相互に直接、接触しないようにすることで、自動販売機２の特に天面の損傷などを防止する他、パレット５３と同様、並置された自動販売機２、２相互間に隙間を確保するなどの機能を有している。
【０００５】
【発明が解決しようとする課題】
しかし、上記の梱包装置５１では、パレット５３、カバー袋５４、キャップ５５およびＰＰバンドはすべて、使い捨て状態になっており、自動販売機２の設置後に廃棄されているのが現状である。このことは、最近の資源の再生あるいは再利用の要請に反するものであり、梱包装置５１においても改善を施すことが望ましい。特に、パレッレ５３については、木材を多量に使用するため、これを廃止することが好ましい。
【０００６】
本発明は、このような課題を解決するためになされたものであり、梱包装置に要求される機能を維持しながら、梱包材の使用量および廃棄量を可能な限り削減することで、省資源化を促進することができる自動販売機の梱包装置を提供することを目的とする。
【０００７】
【課題を解決するための手段】
この目的を達成するため、本発明は、販売機本体の底面の角部から下方に突出する複数の支持脚を有する上側の自動販売機を下側の自動販売機に段積みするための自動販売機の梱包装置であって、上側の自動販売機の販売機本体の底面の複数の支持脚の付近にそれぞれ設けられ、下方に所定の長さで突出する複数の底面支持具と、下側の自動販売機の販売機本体の天面の複数の支持脚に対応する位置にそれぞれ設けられ、上方に所定の長さで突出し、段積みの際に、複数の支持脚を係合させることにより上側の自動販売機を位置決めする位置決め孔が形成されるとともに、複数の底面支持具が当接し、当接した底面支持具と協働して、上側の自動販売機の底面と下側の自動販売機の天面との間に所定寸法以上の隙間を形成する複数の天面支持具と、を備えていることを特徴としている。
【０００８】
この自動販売機の梱包装置によれば、段積みの際、上側の自動販売機の支持脚を、下側の自動販売機の位置決め孔に係合させることによって、上下の自動販売機同士を平面的に適正な位置関係に容易に位置決めできる。また、その後は、上下の自動販売機相互の位置ずれを阻止した状態で、段積みを安定して行うことができる。また、段積みされた状態では、上側の自動販売機の底面支持具が下側の自動販売機の天面支持具に当接することで、上側の自動販売機の重量を支持することができる。さらに、この状態では、互いに当接する天面支持具と底面支持具によって、上側の自動販売機の底面と下側の自動販売機の天面との間に、所定寸法以上の隙間が形成される。したがって、この隙間の所定寸法をフォークリフトのフォークが挿入可能な寸法に設定することによって、自動販売機をフォークリフトで移動させることができる。
【０００９】
以上のように、天面支持具および底面支持具は、段積み時にフォークリフトのフォークを挿入可能なスペースを確保する機能、および自動販売機の重量を支持する機能を有しており、従来のパレットに要求される機能を維持しながら、その代替材として用いることができる。また、両支持具は、自動販売機の角部にのみ設けるだけでよいので、パレットと比較し、材料の使用量を大幅に削減でき、それにより、省資源化を図れるとともに、材料コストを削減できる。さらに、両支持具により、上側の自動販売機を、下側の自動販売機の天面に直接、接触しない状態で支持でき、それにより、天面の損傷を防止できるので、このために設けられていた従来のキャップを廃止することも可能になる。
【００１０】
この場合、複数の天面支持具が、販売機本体から水平方向外方に突出する突出位置と、販売機本体の内側に退避する退避位置との間で、移動設置可能に取り付けられていることが好ましい。
【００１１】
この構成では、天面支持具が、その突出位置において、販売機本体の水平方向外方に突出するので、複数の自動販売機をその方向に並置した場合に、隣接する自動販売機間に隙間を確保できる。したがって、自動販売機の対向面同士の接触、およびそれに起因する損傷などを防止することができる。また、例えば、自動販売機を設置した後に、天面支持具を退避位置に位置させることによって、天面支持具は、販売機本体の内側に退避し、外部から見えなくなるので、自動販売機の外観を損なうことはない。このため、自動販売機の設置後も、天面支持具を取り付けておけるので、その廃棄が不要になり、省資源化をより一層、促進することができる。
【００１２】
また、前記目的を達成するため、本発明は、販売機本体の底面の角部から下方に突出し、支持面に当接した状態で自動販売機を水平調整するとともに固定するための複数の支持脚を有する自動販売機の梱包装置であって、販売機本体の底部に設けられた複数の支持具を備え、これら複数の支持具は、支持脚の下端よりも下方に突出し、自動販売機を支持するとともに、自動販売機の支持面と底部との間に所定寸法以上の隙間を形成する支持位置と、支持脚の下端よりも上方に退避し、底部の下側に収納される収納位置との間で、折りたたみ自在に取り付けられていることを特徴としている。
【００１３】
この自動販売機の梱包装置によれば、支持具は、支持位置と収納位置の間で折りたたみ自在に構成されており、支持位置にあるときには、支持脚の下端よりも下方に突出し、自動販売機を支持するとともに、自動販売機の支持面と底部との間に所定寸法以上の隙間を形成する。そして、この状態から隙間にフォークリフトのフォークを挿入して、自動販売機を移動させることができるので、この支持具を従来のパレットの代替材として用いることができる。また、支持具は、収納位置にあるときには、支持脚の下端よりも上方に退避し、底部の下側に収納される。したがって、支持具に邪魔されることなく、支持脚を支持面に当接させた状態で、支持脚による自動販売機の水平調整および固定を、支障なく行うことができる。このように支持具を残したままで、自動販売機の固定などを行えるので、支持具の廃棄が不要になり、省資源化をより一層、促進できる。
【００１４】
この場合、複数の支持具は、販売機本体の底部の左右方向の側端部に配置され、突出位置にあるときに、販売機本体から外側方に突出するように構成されていることが好ましい。
【００１５】
この構成によれば、支持具が、その突出位置において、販売機本体の外側方に突出するので、複数の自動販売機を左右方向に並置した場合に、隣接する自動販売機の側面間に隙間を確保できることで、自動販売機の側面同士の接触、およびそれに起因する損傷などを防止することができる。
【００１６】
【発明の実施の形態】
以下、図面を参照しながら、本発明の好ましい実施形態を詳細に説明する。図１〜図４は、本発明の第１実施形態による梱包装置１を組み込んだ自動販売機２を示している。この自動販売機２は、飲料販売用のものであり、図１に示すように、商品を収容するボックス状の販売機本体３と、その前面を開閉するメインドア４を備えている。メインドア４は、その左端部が、ヒンジ金具５（図５参照）を介して、販売機本体３に回動自在に取り付けられている。
【００１７】
また、販売機本体３の底面の四隅には、支持脚６（レベリング）がそれぞれ設けられている。支持脚６は、自動販売機２を設置場所の基礎に固定するとともに、その水平調整を行うために、自動販売機２に一般的に設けられているものである。図１１などに示すように、各支持脚６は、ねじ部６ａと、これよりも幅広の六角頭部６ｂと、さらにこれよりも幅広のさら部６ｃとを有するさら付き六角ボルトで構成されている。ねじ部６ａは、折曲げ加工した鋼板などで構成された販売機本体３のベース部７に設けた雌ねじ付きのスリーブ８に、上下方向に進退自在に螺合している。そして、自動販売機２を設置する場合には、各支持脚６を基礎に当接させた後、これらを上下方向に進退させて自動販売機２の水平を調整した状態で、固定金具およびアンカーボルト（いずれも図示せず）を用い、固定金具と基礎の間に支持脚６のさら部６ｃを挟持することで、自動販売機２が基礎に固定されるようになっている。なお、図１などに示すように、支持脚６のうち、左前以外のものは、販売機本体３の底面の角部に配置されているのに対し、左前の支持脚６は、ヒンジ金具５との干渉を避けるために、角部から若干右側に寄った位置に配置されている。
【００１８】
本発明に係る梱包装置１は、前述した従来のパレット５３およびキャップ５５を廃止し、これらに代えて、自動販売機２の販売機本体３の天面に複数の天面支持具９を設けるとともに、天面支持具９に対応する底面の位置に複数の底面支持具１０（図４に右側の２個のみ図示）を設けたものである。
【００１９】
図２に示すように、天面支持具９は、販売機本体２ａの天面の四隅にそれぞれ配置されていて、左右の前天面支持具９ａ、９ｂおよび左右の後天面支持具９ｃ、９ｃの計４個から成り、これらは、硬質で強度の大きなプラスチック、例えばポリプロピレンなどの成形品で構成されている。
【００２０】
右前天面支持具９ｂは、平面矩形のブロック状の本体部１１と、本体部１１から前方に延びる平面矩形の支持脚位置決め部１２とによって構成されている。本体部１１には、上下方向に貫通する、座ぐりされた左右２つのねじ挿入孔１３、１３が形成されており、右前天面支持具９ｂは、これらのねじ挿入孔１３、１３に挿入したねじ（図示せず）により、販売機本体３の天面に固定されている。この状態で、右前天面支持具９ｂは、自動販売機２と外側面が面一の状態になる。また、図４に示すように、本体部１１の高さＨ１は、所定値以上、例えば４０ｍｍに設定されている。
【００２１】
支持脚位置決め部１２は、本体部１１よりも低く形成されていて、メインドア４の前面付近まで延びている。また、支持脚位置決め部１２の右端部には、右前の支持脚６に対応する位置に、所定寸法の位置決め孔１４が上下方向に貫通して形成されている。この位置決め孔１４は、後述するように、自動販売機２を段積みする際に、上側の自動販売機２の支持脚６を嵌合させ、位置決めするためのものである。なお、支持脚位置決め部１２は、本体部１１よりも下面が高く形成されていて、メインドア４の上面に対して若干の間隙を存した状態で取り付けられており、それにより、段積み状態においても、メインドア４が開閉できるようになっている。
【００２２】
左前天面支持具９ａは、基本的には、上述した右前天面支持具９ｂと同じ構成を有しており、ヒンジ金具５との干渉を避けるために、ねじ挿入孔１３が本体部１１の右端部にのみ形成されている点が、右前天面支持具９ｂと異なっている。その結果、支持脚位置決め部１２の右端部に形成された位置決め孔１４に、前述したように右側に寄せて配置された左前の支持脚６が嵌合し、位置決めされるようになっている。なお、この左前天面支持具９ａに代えて、上述した右前天面支持具９ｂを用い、左側のねじ挿入孔１３にねじを挿入せず、これを不使用とすることで、前天面支持具を左右間で共通化することも可能である。
【００２３】
一方、左右の後天面支持具９ｃ、９ｃは互いに左右対称に構成されており、それぞれ、上下方向に延びる取付部１５と、その上端から前方に延びる本体部１６とから、側断面が逆Ｌ字形に形成されている。図４に示すように、取付部１５には、前後方向に貫通する、座ぐりされたねじ挿入孔１７が形成されており、各後天面支持具９ｃは、このねじ挿入孔１７に挿入したねじ（図示せず）により、本体部１６が販売機本体３の天面に載った状態で、その背面に固定されている。この状態で、後天面支持具９ｃは、販売機本体３と外側面が面一の状態になる。本体部１６は、平面的に見て、左右方向に延びる後ろ側の部分とその内端から前方に延びる部分とから成るＬ字形の部分が、左右の前天面支持具９ａ、９ｂの本体部１１と同じ高さＨ１に設定されているとともに、残りの部分は、１段低い支持脚位置決め部１８になっていて、この部分に、後ろ側の支持脚６を位置決めするための位置決め孔１９が、前述した位置決め孔１４と同様に形成されている。
【００２４】
一方、底面支持具１０は、図４に示すように、折曲げ加工したリブ付きの鋼板などで構成されており、販売機本体３のベース部７の底面の天面支持具９に対応する所定位置に、図示しないねじなどによって取り付けられている。図４に示すように、底面支持具１０の高さＨ２は、所定値以上、例えば２０ｍｍに設定されている。
【００２５】
図３および図４は、上記梱包装置１を取り付けた自動販売機２、２が、保管のために段積みされている状況を示している。この段積みは、図１に示すような段積みされていない状態の自動販売機２の支持脚６をある程度伸ばした状態で、自動販売機２のベース部７と床面（図示せず）との間の隙間にフォークリフトのフォークを挿入して、自動販売機２を持ち上げ、他の自動販売機２の上に載せることによって、行われる。図４に示すように、この段積みの際、上側の自動販売機２の支持脚６のさら部６ｃを、下側の自動販売機２の天面支持具９の位置決め孔１４、１９にそれぞれ嵌合させるようにする。これにより、上下の自動販売機２、２同士を平面的に適正な位置関係に容易に位置決めできる。また、その後は、上下の自動販売機２、２相互の位置ずれを阻止した状態で、段積みを安定して行うことができる。
【００２６】
また、このように位置決めされた状態において、上側の自動販売機２の底面支持具１０は、下側の自動販売機２の天面支持具９の本体部１１、１６にそれぞれ載置される。したがって、上側の自動販売機２のベース部７が下側の自動販売機２の天面に、直接、接触しない状態で、上側の自動販売機２の重量を、底面支持具１０および天面支持具９を介して支持することができる。さらに、この状態では、天面支持具９に底面支持具１０が当接することによって、上側の自動販売機２のベース部７と下側の自動販売機２の天面との間に、両支持具９、１０の高さＨ１、Ｈ２の和（＝Ｈ１＋Ｈ２）に等しい所定寸法（例えば６０ｍｍ）の隙間が確保される。その結果、段積みした状態から、この隙間にフォークリフトのフォークを挿入することによって、上側の自動販売機２を降ろし、移動させることができる。
【００２７】
以上のように、天面支持具９および底面支持具１０は、段積み時にフォークリフトのフォークを挿入可能なスペースを確保する機能、および自動販売機２の重量を支持する機能を有しており、従来のパレット５３に要求される機能を維持しながら、その代替材として用いることができる。また、両支持具９、１０は、自動販売機２の四隅に設けるだけでよいので、パレット５３と比較し、材料の使用量を大幅に削減できることで、省資源化を図れるとともに、材料コストを低減することができる。さらに、天面支持具９は、自動販売機２を設置した後に、ねじを外すことで取り外してもよく、あるいは特に外観に影響を及ぼすものでもないので、取り付けたままとしてもよい。後者の場合には、廃棄が不要となるので、省資源化をより一層、促進することができる。また、両支持具９、１０により、上側の自動販売機２を、そのベース部７が下側の自動販売機２の天面に直接、接触しない状態で支持することによって、天面の損傷を防止できるので、このために設けられていた従来のキャップ５５を廃止することも可能になる。
【００２８】
図５〜図８は上述した第１実施形態の変形例を示している。この変形例は、第１実施形態の天面支持具９のねじ挿入孔１３、１７を長孔とすることで、天面支持具を移動設置可能に構成したものである。図６に示すように、この変形例では、左前天面支持具９ａの本体部１１に１つのねじ挿入長孔２０が、右前天面支持具９ｂの本体部１１に左右２つのねじ挿入長孔２０、２０が、それぞれ後端側から前外方に斜めに延びるように形成されている。各ねじ挿入長孔２０は、第１実施形態のねじ挿入孔１３と同様、上下方向に貫通し、座ぐりされているとともに、固定用のねじ（図示せず）が挿入されている。
【００２９】
以上の構成により、左右の前天面支持具９ａ、９ｂは、ねじ挿入長孔２０に沿って前外方に最大限スライドさせた状態でねじを締め付けることによって、自動販売機２の前方および側方に部分的に突出した、図６に示す突出位置に固定されるとともに、上記とは逆に後ろ内方に最大限スライドさせ、ねじを締め付けることで、自動販売機２の内側に退避した、図示しない退避位置に固定される。さらに、図６と図２の比較から明らかなように、前天面支持具９ａ、９ｂは、上記突出位置における突出部分に対応する分だけ、第１実施形態の前天面支持具９ａ、９ｂに対して前方および外側方へ拡大されるように形成されており、すなわち、突出位置にあるときに、本体部１１や位置決め孔１４などの平面的な配置が、第１実施形態の前天面支持具９ａ、９ｂと一致するようになっている。
【００３０】
また、左右の後天面支持具９ｃ、９ｃの各取付部１５には、第１実施形態のねじ挿入孔１７に代えて、左右方向に延びるねじ挿入長孔３０が形成されており（図７参照）、このねじ挿入長孔３０に固定用のねじ（図示せず）が挿入されている。そして、各後天面支持具９ｃは、ねじ挿入長孔３０に沿う左右方向のスライドとねじの締付けによって、自動販売機２の外側方に部分的に突出した突出位置（図６の位置）と、内側に退避した退避位置（図示せず）とに固定可能である。また、後天面支持具９ｃは、突出位置における突出部分に対応する分だけ、第１実施形態の後天面支持具９ｃに対して外側方へ拡大されるように形成されており、すなわち、突出位置にあるときに、本体部１６や位置決め孔１９などの平面的な配置が、第１実施形態の後天面支持具９ｃと一致するようになっている。
【００３１】
以上の構成の天面支持具９ａ〜９ｃは、自動販売機２、２を段積みする場合や、並置した状態で輸送などする場合には、突出位置に固定した状態で使用される。すなわち、前述したように、天面支持具９ａ〜９ｃは、突出位置にあるときには、第１実施形態の天面支持具９ａ〜９ｃと平面的配置が同じになるので、図７に示すように、自動販売機２の段積みを第１実施形態とまったく同様に行うことができ、それによる前述した効果を同様に得ることができる。
【００３２】
また、天面支持具９ａ〜９ｃが自動販売機２の外側方に突出しているので、自動販売機２、２を左右方向に並置した場合には、図８に示すように、自動販売機２、２間に隙間Ｇが確保されることで、自動販売機２、２の側面同士の接触、およびそれに起因する損傷などを防止することができる。さらに、後天面支持具９ｃの取付部１５が自動販売機２の後方に、前天面支持具９ａ、９ｂが自動販売機２の前方に、それぞれ突出しているので、自動販売機２、２を前後方向に並置した場合の前面と背面の接触、およびそれらの損傷なども防止できる。
【００３３】
以上のように、この変形例によれば、天面支持具９および底面支持具１０は、段積み時にフォークリフトのフォークを挿入可能なスペースを確保する機能、および自動販売機２の重量を支持する機能に加えて、並置時に自動販売機２、２間に隙間を確保し、相互接触による損傷などを防止する機能をさらに有するので、従来のパレット５３に要求される前述した機能をすべて維持しながら、その代替材として用いることができる。
【００３４】
一方、自動販売機２を設置場所に設置した後には、天面支持具９ａ〜９ｃは、退避位置に固定される。この状態では、天面支持具９ａ〜９ｃは、自動販売機２の内側に完全に退避し、外部からほとんど見えなくなるので、自動販売機２の外観を損なうことはない。このように、自動販売機２の設置後も、天面支持具９ａ〜９ｃを取り付けておけるので、その廃棄が不要になるという利点が得られる。なお、ねじを取り外すことによって、天面支持具９ａ〜９ｃを除去することももちろん可能である。
【００３５】
図９〜図１３は、本発明の第２実施形態を示している。この実施形態は、自動販売機２の底部の左右に、支持具２１、２１を折たたみ自在に取り付けたものである。これらの支持具２１、２１は互いに構成が同じで、左右対称に取り付けられているので、以下では、右側の支持具２１を代表して説明するものとする。この支持具２１は、ベース部７に取り付けられたロッド２２と、このロッド２２と一体の支持具本体２３で構成されている。
【００３６】
図１０および図１１などに示すように、ロッド２２は、前後の支持脚６、６間に前後方向に延びるように配置され、ベース部７の上端部に回動自在に取り付けられている。また、支持具本体２３は、鋼板などを折曲げ加工することにより断面矩形状に形成したものであり、一端部がロッド２２に固定された第１当接部２３ａと、その他端から直角に延びる、第１当接部２３ａよりも長い所定長さのスペーサ部２３ｂと、その先端から第１当接部２３ａと平行に対向するように延びる、第１当接部２３ａと同じ長さの床当接部２３ｃと、その先端から第１当接部２３ａに向かって延びる短い第２当接部２３ｄとによって構成されている。
【００３７】
以上の構成により、支持具２１を図１０の時計方向に回動させると、支持具本体２３の第１当接部２３ａがベース部７の上壁に当接することで、支持具２１は、それ以上の回動を阻止され、起立した姿勢になる。この位置が、支持具２１の支持位置であり（同図の実線位置、図１１および図１２の状態）、この状態では、支持具本体２３の床当接部２３ｃが床Ｆに当接し、自動販売機２を支持するとともに、ベース部７の下面と床Ｆとの間に所定寸法（例えば６０ｍｍ）以上の隙間Ｃが確保される。したがって、自動販売機２の設置前、すなわちその保管時や輸送時などに、支持具２１を支持位置に位置させておくことによって、この状態から隙間Ｃにフォークリフトのフォークを挿入して、自動販売機２を移動させることができる。
【００３８】
一方、支持具２１を図１０の反時計方向に回動させると、支持具本体２３の第２当接部２３ｄがベース部７の上壁に当接することで、支持具２１は、それ以上の回動を阻止され、ベース部７に沿って収納され、水平な姿勢になる。この位置が支持具２１の収納位置であり（同図の上側の２点鎖線位置、図１３の状態）、この状態では、支持具２１が支持脚６の下端よりも十分に上方に退避する。したがって、自動販売機２を設置する際、支持位置にある支持具２１を介してフォークリフトにより設置場所に降ろし、支持脚６を下方に伸ばして基礎に当接させ、自動販売機２を支持する状態とした後、支持具２１を収納位置に回動させることによって、支持脚６、固定金具およびアンカーボルトによる自動販売機２の固定・設置を、支持具２１に邪魔されることなく行うことができる。以上により、第１実施形態と同様、支持具２１を従来のパレットの代替物として用いることができる。また、支持具２１を残したままで、自動販売機２を固定・設置できるので、支持具２１の廃棄が不要になるという利点が得られる。
【００３９】
図１４〜図１８は、上述した第２実施形態の変形例を示している。この変形例は、第２実施形態と比較し、支持具本体の構成が異なるものである。具体的には、この支持具３１の支持具本体３３は、第１実施形態の支持具本体２３の構成に加えて、第１当接部２３ａとロッド２２との間を連結する連結部３３ｅと、スペーサ部２３ｂの前後端から斜めに延びるガイド部３３ｆ、３３ｆをさらに備えている。連結部３３ｅは第１当接部２３ａに対して直角に延びている。また、ロッド２２は、第２実施形態のそれよりも、若干外側に配置されている。
【００４０】
以上の構成により、この支持具３１は、第２実施形態の支持具２１と同様、これを図１５の時計方向に回動させると、第１当接部２３ａがベース部７の下壁に当接することで、起立した支持位置（同図の実線位置、図１６および図１７の状態）に位置決めされる一方、反時計方向に回動させると、第２当接部２３ｄがベース部７の上壁に当接することで、ベース部７に沿って水平に収納された収納位置（図１５の上側の２点鎖線位置、図１８の状態）に位置決めされる。したがって、支持具３１を第２実施形態の支持具２１とまったく同様に用いることができ、それによる前述した効果を同様に得ることができる。
【００４１】
これに加えて、支持具３１は、支持位置にあるときには、図１５に示すように、支持具本体３３が自動販売機２の外側方に突出するので、自動販売機２、２を左右方向に並置した場合、図１４に示すように、自動販売機２、２間に隙間Ｇを確保でき、したがって、自動販売機２、２の側面同士の接触、およびそれに起因する損傷などを防止することができる。また、支持具本体３３の前後のガイド部３３ｆ、３３ｆは、自動販売機２を並置する場合に、隣接する自動販売機２を近づけるように案内する役割を果たす。これにより、自動販売機２を隙間なく並置した状態で保管あるいは輸送することができ、保管効率および輸送効率を高めることができる。
【００４２】
【発明の効果】
以上のように、本発明の自動販売機の梱包装置は、梱包装置に要求される機能を維持しながら、梱包材の使用量および廃棄量を可能な限り削減することで、省資源化を促進することができるなどの効果を有する。
【図面の簡単な説明】
【図１】本発明の第１実施形態による梱包装置を適用した自動販売機の斜視図である。
【図２】図１の梱包装置の天面支持具の構成および取付状況を示す拡大斜視図である。
【図３】図１の自動販売機を段積みした状態を示す斜視図である。
【図４】図３の段積み部分の部分側面図である。
【図５】第１実施形態の変形例による梱包装置を適用した自動販売機の斜視図である。
【図６】図５の変形例による、図２と同様の拡大斜視図である。
【図７】図５の自動販売機を段積みしたときの段積み部分の部分側面図である。
【図８】図５の自動販売機を並置したときの正面図である。
【図９】本発明の第２実施形態による梱包装置を適用した自動販売機の正面図である。
【図１０】図９の梱包装置の支持具の構成および取付状況を示す部分正面図である。
【図１１】図１０の支持具が支持位置にあるときの部分側面図である。
【図１２】図１１に対応する斜視図である。
【図１３】図１０の支持具が収納位置にあるときの斜視図である。
【図１４】第２実施形態の変形例による梱包装置を適用した自動販売機を並置した状態の正面図である。
【図１５】図１４の梱包装置の支持具の構成および取付状況を示す部分正面図である。
【図１６】図１５の支持具が支持位置にあるときの部分側面図である。
【図１７】図１６に対応する斜視図である。
【図１８】図１５の支持具が収納位置にあるときの斜視図である。
【図１９】従来の一般的な自動販売機の梱包装置を示す斜視図である。
【符号の説明】
１  梱包装置
２  自動販売機
３  販売機本体
６  支持脚
７  ベース部（底部）
９  天面支持具（９ａ〜９ｃ）
１０  底面支持具
１４  位置決め孔
１９  位置決め孔
２０  ねじ挿入長孔
２１  支持具
２３  支持具本体
３０  ねじ挿入長孔
３１  支持具
３３  支持具本体
【図１】
0003832188.tif 000002
【図２】
0003832188.tif 000003
【図３】
0003832188.tif 000004
【図４】
0003832188.tif 000005
【図５】
0003832188.tif 000006
【図６】
0003832188.tif 000007
【図７】
0003832188.tif 000008
【図８】
0003832188.tif 000009
【図９】
0003832188.tif 000010
【図１０】
0003832188.tif 000011
【図１１】
0003832188.tif 000012
【図１２】
0003832188.tif 000013
【図１３】
0003832188.tif 000014
【図１４】
0003832188.tif 000015
【図１５】
0003832188.tif 000016
【図１６】
0003832188.tif 000017
【図１７】
0003832188.tif 000018
【図１８】
0003832188.tif 000019
【図１９】
0003832188.tif 000020